(57)【要約】【課題】回帰反射型の光電センサ送信部から照射された光の入射角を制限することで、光の検出範囲を任意に制御することのできる反射装置を提供することを目的とする。【解決手段】反射装置２は、直方体状のソケット３で覆われており、ソケット３前面に形成されソケット３内部に光を照射するためのスリット５と、ソケット３内部前方に設けられスリット５の幅を調節するスリット幅可変装置６と、ソケット３内部後方に設けられスリット５を透過した光を反射するための回帰反射板４と、回帰反射板４前方に設けられ回帰反射板４に照射される光の入射角を制限する反射板幅可変装置７と、ソケット３側面にスリット５と回帰反射板４の距離を可変する可変装置８を設ける。【選択図】図１
2011227034.tif 000002
【特許請求の範囲】
【請求項１】
光を反射する反射装置であって、
該反射装置は、直方体状のソケットで覆われており、
該ソケット前面に形成され前記ソケット内部に光を照射するスリットと、
前記ソケット内部前方に設けられ前記スリットの幅を調節するスリット幅可変装置と、
前記ソケット内部後方に設けられ前記スリットを透過した光を反射する回帰反射板と、
前記回帰反射板前方に設けられ前記回帰反射板に照射される光の入射角を制限する反射板幅可変装置と、
前記ソケット側面に前記スリットと前記回帰反射板との距離を可変する可変装置を設けることを特徴とする反射装置。
【発明の詳細な説明】
【技術分野】
【０００１】
本発明は、回帰反射型光電センサから照射される光を反射する反射装置に関する。
【背景技術】
【０００２】
現在、対象物を検知する際に使用されるセンサとして光電センサがあるが、この光電センサの反射装置に使用される反射板として、例えば、特許文献１の「反射型光電センサ」に示される回帰反射板がある。
この回帰反射板は、表面に三角錐形状のくぼみが刻まれており、光電センサから照射される光は、正面からの光に対してある程度の入射角であれば同じ角度で光を反射する特殊な反射板となっている。そのため、回帰反射板は、正面からの光だけでなく左右一定の角度内（扇状の範囲内）であれば、照射された光を光電センサに反射することが可能となっている。
【先行技術文献】
【特許文献】
【０００３】
【特許文献１】特開平１０−１１１３６５号
【発明の概要】
【発明が解決しようとする課題】
【０００４】
上記の回帰反射板を利用した反射装置では、光電センサ送信部から照射された光は、回帰反射板の扇状の範囲内に入ると反射光を検出し受信部で受信してしまう。そのため、回帰反射板の扇状の範囲内で光の検出範囲を任意に制御することは難しい。
本発明は、回帰反射板を利用した反射装置において、光電センサ送信部から照射された光の入射角を制限することにより、光の検出範囲を任意に制御することのできる反射装置を提供することを目的とする。
【課題を解決するための手段】
【０００５】
上記の目的を達成するために、反射装置は、直方体状のソケットで覆われており、ソケット前面に形成されソケット内部に光を照射するためのスリットと、ソケット内部前方に設けられスリットの幅を調節するスリット幅可変装置と、ソケット内部後方に設けられスリットを透過した光を反射するための回帰反射板と、回帰反射板前方に設けられ回帰反射板に照射される光の入射角を制限する反射板幅可変装置と、ソケット側面に設けられスリットと回帰反射板の距離を可変する可変装置を設けることを技術的特徴とする反射装置である。
【発明の効果】
【０００６】
請求項１に記載の反射装置によれば、反射装置に備える回帰反射板に照射される光の入射角を制限することにより、光電センサの光から照射される光の検出範囲を任意に制御することが可能となる。
【図面の簡単な説明】
【０００７】
【図１】反射装置に備える各装置が基準位置にある状態を示す図である。
【図２】回帰反射板を利用した光の反射を示す図である。
【図３】スリット幅可変装置を可動させたときの反射装置を示す図である。
【図４】反射板幅可変装置を可動させたときの反射装置を示す図である。
【図５】可変装置を可動させたときの反射装置を示す図である。
【発明を実施するための最良の形態】
【０００８】
以下に本発明の実施形態について図を用いて説明する。
本発明は、回帰反射型の光電センサ１送受信機から照射される光を反射する反射装置２に関するもので、図１に示すように反射装置２は直方体状のソケット３で覆われており、ソケット３前面に形成されソケット内部に光を照射するためのスリット５と、内部前方に設けられスリット５の幅を調節するスリット幅可変装置６と、内部後方に設けられスリット５を透過した光を反射するための回帰反射板４と、回帰反射板４前方に設けられ回帰反射板４に照射される光の入射角を制限する反射板幅可変装置７と、ソケット３側面にスリット５と回帰反射板４の距離を可変する可変装置8を設ける。
【０００９】
回帰反射型の光電センサ１は、光を照射及び受信する送受信機であって、本実施例では、送信機に縦方向の偏光フィルタを有することで縦方向に振動する光だけを照射し、受信機に横方向の偏光フィルタを有することで、横方向に振動する光だけを受信できる構造とする。そのため、送信機から照射された光は、検出物にぶつかり単純に反射されるだけでは、振動する方向に変化が起こらないため、受信機で受信できる振動方向と異なるため検出できない構造となっている。
【００１０】
反射装置２に備えるソケット３は、光電センサ１から照射される光の振動方向を変化させない材質で形成され、ソケット３の側面は後述する可変装置９によってスリット５と回帰反射板４との距離を変化させることが可能な構造となっている。
【００１１】
回帰反射板４は、ソケット３内部後方に設けてあって、光電センサ１から照射される光を反射するためのものである。この回帰反射板４の表面は、細かい三角錐形状のくぼみが刻まれており、回帰反射板４により反射される反射光は、図２に示すように、入射角と同じ方向で反射することのできる特殊な構造となっている。
【００１２】
また、回帰反射板４によって反射される反射光は、光電センサ１から照射される光の振動する方向を変換することが可能であって、例えば、前述の光電センサ１送信機から照射される光は縦方向に振動する光であって、回帰反射板４により反射されることにより横方向に振動する光に変化され、光電センサ１の受信機で受信可能な光となる。
【００１３】
スリット５は、回帰反射板に光を照射するための小さなすき間であって、光電センサ１から照射された光はスリット５を透過し回帰反射板４に照射される。
【００１４】
スリット幅可変装置６は、ソケット３内部前方に設けてあって、スリット５の幅を調節するための装置で、スリット５の幅を可変することで回帰反射板４に照射される入射角を制限することができる。
【００１５】
反射板幅可変装置７は、回帰反射板４の前方に設けてあり、スリット５を透過した光で回帰反射板４に照射されるのを制限するための装置であって、回帰反射板４の反射可能な範囲を反射板幅可変装置７により制限することで、スリット５を透過した光の入射角を制限し、回帰反射板４に照射される光を制限することで、光電センサ１の検出範囲を制御することができる。
【００１６】
可変装置８は、スリット５と回帰反射板４との距離を変化させる装置であって、スリット５と回帰反射板４との距離を長くすることで、回帰反射板４に照射される光の入射角を制限することができる。
【００１７】
次に、反射装置２により入射角を制限し光電センサ１の検出範囲を制御する動作について説明する。
先ず、反射装置２が図１に示すように、スリット幅可変装置６と反射板幅可変装置７と可変装置８が可動していない位置（基準位置）にある場合、光電センサ１送信部から照射される光は、ソケット３前方のスリット５を透過し、スリット５を透過した光は、ソケット内部後方に備える回帰反射板４により反射されることで、光の振動方向を変化し、光電センサ１の受信部で光を受信する。
【００１８】
また、可光電センサ１は回帰反射板4の反射光を検出するため、回帰反射板4に照射される光が光電センサの検出範囲となり、この反射装置2が基準位置にあるとき、最も広範囲の光を検出することができるものとする。
【００１９】
次に、図3に示すように、スリット幅可変装置６のみを可動させ、図1のソケット３の基準位置である状態から、スリット５の幅を変化させる。この場合、スリット幅可変装置６によりスリット５の幅が狭まるにつれて、スリット５を透過する光は制限されるため、回帰反射板４に照射される光の入射角も制限される。そのため、回帰反射板４に照射される光が制限されることで、光電センサ１による検出範囲を制御することになるので、スリット５幅を調節することで光電センサ１による光の検出範囲を制御することが可能となる。
【００２０】
次に、図4に示すように、反射板幅可変装置７のみを可動させ、図1のソケット３の基準位置である状態から、回帰反射板４の光を反射することのできる範囲を変化させる。ここで、光を反射することのできる範囲が狭まるにつれて、回帰反射板４に照射される光の入射角は徐々に制限されるため、光電センサ１による検出範囲を制御することが可能となる。
【００２１】
次に、図５に示すように、可変装置８のみを可動させ、図１のソケット３の基準位置である状態から、反射装置２前方に備えるスリット５と内部後方に設ける回帰反射板４との距離を変化させることで、回帰反射板４に照射される入射角を変化する。この場合、可変装置８により基準位置からスリット５と回帰反射板４との距離が徐々に遠ざかるにつれて、回帰反射板４に照射される光は入射角が制限され、光電センサ１による検出範囲は狭まるため、スリット５と回帰反射板４との距離を変化させることで、光電センサ１の検出範囲を制御することが可能となる。
【００２２】
なお、本実施例では、スリット幅可変装置６と反射板幅可変装置７と可変装置８は、それぞれを別々に制御することで光電センサ１から照射される入射角を制限していたが、これに限らず、スリット幅可変装置６と可変装置８を可動させ入射角を制限したり、スリット幅可変装置６と反射板幅可変装置７を可動させ入射角を制限したり、反射板幅可変装置７と可変装置８を可動させ入射角を制限することで、光電センサ１の検出範囲を制御することも可能である。
【００２３】
よって、本発明の反射装置２を利用することで、光電センサ１からの照射される光の入射角を制限することで、光の検出範囲を任意で制御を行うことが可能となる。
【符号の説明】
【００２４】
１  光電センサ
２  反射装置
３  ソケット
４  回帰反射板
５  スリット
６  スリット幅可変装置
７  反射板幅可変装置
８  可変装置
【図１】
2011227034.tif 000003
【図２】
2011227034.tif 000004
【図３】
2011227034.tif 000005
【図４】
2011227034.tif 000006
【図５】
2011227034.tif 000007